(57)【特許請求の範囲】
【請求項１】
表面にコネクタ接続端子を備えた中継基板と、前記中継基板が前記表面を露出した状態で取り付けられる基板保持部材とを備え、遊技盤の後側に配設される設置部材に設けた基板設置部に前記基板保持部材を取り外し可能に装着することで、前記中継基板を該設置部材に配設するよう構成した遊技機の基板取付構造において、
前記基板保持部材は、
前記中継基板の外周端縁に対向する部分に該外周端縁に近接するよう突設され、該中継基板の略全周を隙間なく囲繞するよう延在する保護壁部を備え、
前記中継基板と保護壁部との間から該中継基板の裏側基板面へ不正部品の配線が挿通されるのを不能に構成すると共に、
前記基板保持部材の前記保護壁部の一部に、前記設置部材に配設された部品の当接部が当接する被当接部が設けられ、
設置部材に配設した前記部品の当接部が前記被当接部に当接することで、前記基板保持部材を前記基板設置部から取り外し不能に構成した
ことを特徴とする遊技機の基板取付構造。
【請求項２】
前記基板保持部材は、前記中継基板の裏側基板面に相対する保護面部が、該裏側基板面における少なくとも回路形成部分と近接するように形成され、
前記裏側基板面と保護面部との間に不正部品の配線が挿通されるのを不能に構成した請求項１記載の遊技機の基板取付構造。
【発明の詳細な説明】
【技術分野】
【０００１】
この発明は、基板保持部材に配設した中継基板を備えた遊技機の基板取付構造に関するものである。
【背景技術】
【０００２】
例えば、遊技機の代表例の一つであるパチンコ機は、固定枠としての外枠に開閉自在に組み付けられた本体枠としての中枠に、前面にパチンコ球が打ち出される遊技領域が画成された遊技盤が着脱自在に配設される。前記遊技盤の前側には、始動入賞装置や特別入賞装置、遊技状態に合わせて発光演出を行う発光演出装置等(以下、電気部品という)が配設されている。また、前記遊技盤の後側には箱状の設置部材が配設され、この設置部材の前側には遊技盤の前側から視認可能な可動演出装置や装飾部材等が配設されると共に、該設置部材の後側には、各種図柄を変動表示して図柄変動演出を行う液晶式やドラム式等の図柄表示装置が配設される。このようなパチンコ機では、前記遊技領域に打ち出して該遊技領域内を流下する遊技球が前記始動入賞装置に設けた始動口に入賞することで、図柄表示装置での図柄変動演出を開始させると共に遊技球を賞球として払出すよう構成されている。そして、前記図柄変動演出の結果、図柄表示装置に特定の図柄の組合わせ(大当り図柄)が表示されると、遊技者に有利な特別遊技(大当り遊技)を発生して、図柄表示装置における演出に合わせて前記特別入賞装置の入賞口を開放した後に、予め設定された所定のラウンド遊技を繰返して、遊技者に多数の賞球を払出す好機を与えるようになっている。
【０００３】
前記設置部材は、前方に開放する箱状に形成され、前記遊技盤の後面から後方へ所定の間隔をおいて対向する設置壁部と、該設置壁部の周縁部から前方に延出する外周壁部とを備え、該外周壁部の前端縁を遊技盤の後側に当接して該遊技盤の後側に配設される。前記設置部材の設置壁部の後側には、前記図柄表示装置の下方に基板設置部が設けられ、この基板設置部には複数のコネクタ接続端子を備えたメイン中継基板等の各種中継基板が配設されている。前記メイン中継基板には、前記始動入賞口や特別入賞口等に配設された球検知センサからの配線や、当該パチンコ機を総合的に制御する主制御装置からの配線が、夫々接続される。すなわちメイン中継基板は、各球検知センサ等からの信号と主制御装置とを電気的に接続するためのものである。
【０００４】
前記中継基板は、トレー形状に形成された基板保持部材に対し、コネクタ接続端子が配設された表面を露出した状態(回路がプリント成形された裏側基板面を保護した状態)で装着される。そして、前記基板保持部材を前記基板設置部に対して装着することで、中継基板が前記設置部材に取り付けられる。このような基板取付構造を採用した遊技機は、特許文献１に開示されている。
【先行技術文献】
【特許文献】
【０００５】
【特許文献１】特開２０１０−２７３９０８号公報
【発明の概要】
【発明が解決しようとする課題】
【０００６】
ところで前記基板保持部材は、該基板保持部材に対して中継基板を取付け易くするため、該中継基板のサイズより一回り大きいトレー形状に形成されている。このため、基板保持部材と、装着された中継基板の外周端縁との間には、適宜の隙間が形成されている。従って、所謂ぶら下がり基板等の不正部品の配線が、前記隙間を利用して中継基板の裏側回路面に挿入されて、コネクタ端子のコネクタピンに接続される畏れがあった。
【０００７】
すなわち、本発明は、従来技術に係る遊技機における基板取付構造に内在する前記問題に鑑み、これらを解決するべく提案されたものであって、中継基板と基板保持部材との間に不正部品の配線を挿通させるのを防止し得る遊技機の基板取付構造を提供することを目的とする。
【課題を解決するための手段】
【０００８】
前記課題を解決し、所期の目的を達成するため、本願の請求項１に係る発明は、
表面にコネクタ接続端子(96,97)を備えた中継基板(95)と、前記中継基板(95)が前記表面を露出した状態で取り付けられる基板保持部材(60)とを備え、遊技盤(D)の後側に配設される設置部材(40)に設けた基板設置部(55)に前記基板保持部材(60)を取り外し可能に装着することで、前記中継基板(95)を該設置部材(40)に配設するよう構成した遊技機の基板取付構造において、
前記基板保持部材(60)は、
前記中継基板(95)の外周端縁(95C)に対向する部分に該外周端縁(95C)に近接するよう突設され、該中継基板(95)の略全周を隙間なく囲繞するよう延在する保護壁部(62)を備え、
前記中継基板(95)と保護壁部(62)との間から該中継基板(95)の裏側基板面(95B)へ不正部品の配線が挿通されるのを不能に構成すると共に、
前記基板保持部材(60)の前記保護壁部(62)の一部に、前記設置部材(40)に配設された部品(90)の当接部(91)が当接する被当接部(66)が設けられ、
設置部材(40)に配設した前記部品(90)の当接部(91)が前記被当接部(66)に当接することで、前記基板保持部材(60)を前記基板設置部(55)から取り外し不能に構成したことを要旨とする。
【０００９】
従って、請求項１に係る発明によれば、基板保持部材に中継基板が取り付けられると、該基板保持部材の保護壁部が中継基板の外周端縁に近接して該中継基板の略全周を隙間なく囲繞するようになる。これにより、保護壁部と中継基板の外周端縁との間から該中継基板の裏側基板面へ不正部品の配線が挿通されるのが不能となり、該配線をコネクタ端子のコネクタピンに接続することにより行なわれる不正行為を防止し得る。
また、基板設置部に基板保持部材を装着した状態で設設置部材に部品を配設することで、該部品により基板保持部材が基板保持部から取り外すことができなくなり、不正を目的とした中継基板の取り外しを阻止し得る。
【００１０】
請求項２に記載の発明では、
前記基板保持部材(60)は、前記中継基板(95)の裏側基板面(95B)に相対する保護面部(61)が、該裏側基板面(95B)における少なくとも回路形成部分と近接するように形成され、
前記裏側基板面(95B)と保護面部(61)との間に不正部品の配線が挿通されるのを不能に構成したことを要旨とする。
従って、請求項２に係る発明によれば、中継基板を基板保持部材に取り付けた状態では、該基板設置部材の保持面部が中継基板との間に不正部品の配線が挿通不能となるよう近接する構成としたので、不正部品の配線を中継基板に接続する不正行為を防止することができる。
【発明の効果】
【００１２】
本発明に係る遊技機の基板取付構造によれば、中継基板と基板保持部材との間に不正部品の配線を挿通させるのを防止し得る。
【図面の簡単な説明】
【００１３】
【図１】実施例のパチンコ機の正面図である。
【図２】実施例のパチンコ機の背面図である。
【図３】実施例のパチンコ機における遊技盤を、第１可動演出装置を取り外した状態で示す斜視図である。
【図４】第１〜第３の基板設置部に中継基板を配設した設置部材を後下方から見た斜視図である。
【図５】第１基板設置部に、第１中継基板を装着した基板保持部材を取り付けた状態を示す背面図である。
【図６】図５のＸ−Ｘ線断面図である。
【図７】第１基板設置部から、第１中継基板を装着した基板保持部材を取り外した状態を示す斜視図である。
【図８】第１中継基板と基板保持部材とを後下方から見た斜視図である。
【図９】第１中継基板と基板保持部材とを前上方から見た斜視図である。
【図１０】(ａ)は、弾性部の背面図であり、(ｂ)は、(ａ)のＺ−Ｚ線断面図であって、弾性部の変形による係止突部と係止受部との係脱態様を示している。
【図１１】図５のＹ−Ｙ線断面図であって、設置部材の後側に配設した取付部材の当接部が基板保持部材に当接している状態を示している。
【発明を実施するための形態】
【００１４】
次に、本発明に係る遊技機の基板取付構造につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１５】
(パチンコ機)
実施例に係るパチンコ機Ｐは、図１に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、前記遊技盤Ｄの裏側に、所定条件の成立(後述する始動入賞装置２０の始動入賞口２０Ａへのパチンコ球(遊技球)の入賞)を契機として演出用の図柄を変動表示させて図柄変動演出を行なう図柄表示装置Ｈが着脱可能に配設されている。また、前記中枠Ｂの前面側には、前記遊技盤Ｄを透視保護するガラス板や透明な合成樹脂材により形成された透視保護板２６で前後に開口する窓部を覆うよう構成された装飾枠としての前枠Ｃが開閉可能に組み付けられると共に、該前枠Ｃの下方にパチンコ球を貯留する下球皿Ｆが前記中枠Ｂに組み付けられる。更に、前記前枠Ｃの下部位置に、パチンコ球を貯留する上球皿Ｅが一体的に組み付けられており、前枠Ｃの開閉に合わせて上球皿Ｅも一体的に開閉するよう構成される。
【００１６】
前記中枠Ｂの右下方位置には、該中枠Ｂに配設された打球発射装置(図示せず)を作動する操作ハンドルＧが設けられており、該操作ハンドルＧの操作により打球発射装置が作動されることで、前記上球皿Ｅに貯留されたパチンコ球が所定間隔(例えば、０．６秒間隔)で１球ずつ前記遊技盤Ｄに向けて連続的に発射されるようになっている。なお実施例では、前記図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置を採用し得る。また、前記上球皿Ｅは、前記前枠Ｃと別体に形成して中枠Ｂに対して開閉可能に組み付けるようにしてもよい。
【００１７】
前記中枠Ｂの後側上方には、図２に示すように、設置枠台等に設けられた外部球供給設備(図示せず)から供給されるパチンコ球を貯留する球タンク３０が配設されると共に、後側の上下中央より下方には、前記上下の球皿Ｅ,Ｆに連通する球供給路および設置枠台に設けた球回収樋に連通する球排出路が夫々形成されたセット部材３１が配設されている。また、中枠Ｂの裏側における左方には、前記球タンク３０とセット部材３１とを連通接続する球通路ユニット３２が上下に架設され、該球通路ユニット３２に配設された球払出装置３３の駆動により球タンク３０に供給されたパチンコ球を上下の球皿Ｅ,Ｆへ給出するよう構成されている。前記セット部材３１には、前記球払出装置３３を駆動制御する払出制御装置１２４や、前記打球発射装置を駆動制御する発射制御装置１２３等が配設されている。前記払出制御装置１２４は、遊技盤Ｄの裏側に配設される設置部材４０(後述)の後側に取り付けられた主制御装置１２０に第２中継基板８５(後述)を介して電気的に接続されており、該主制御装置１２０からの制御信号に基づいて払出制御装置１２４が前記球払出装置３３を制御する。また前記発射制御装置１２３も、前記主制御装置１２０に電気的に接続されており、該主制御装置１２０からの制御信号に基づいて発射制御装置１２３が前記打球発射装置を制御する。
【００１８】
(遊技盤)
前記遊技盤Ｄは、図１および図３に示すように、アクリルやポリカーボネート等の光透過性の合成樹脂製板やベニア等の木製合板を材質とし、前記中枠Ｂに設けた遊技盤保持部(図示せず)の内縁形状に整合する外縁形成された略矩形の平板状に形成され、その前側には遊技領域１０が設けられると共に、その後側には後述する設置部材４０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が前記遊技領域１０として構成されている。これにより、前記打球発射装置から発射されたパチンコ球は、外レール１１と内レール１２との間を通って遊技領域１０の左上部に打ち出された後、該遊技領域１０内を流下する。但し、前記内レール１２の延在長を大きく設定して、前記外レール１１および該内レール１２で遊技領域１０を形成するように構成してもよい。
【００１９】
前記遊技盤Ｄには、図３に示すように、中央に大きな貫通口が形成され、前後に開口して遊技演出領域とされる表示窓口２８Ａが形成された枠状装飾部材２８が、該貫通口の開口縁に配設されている。この枠状装飾部材２８の前部には、図柄表示装置Ｈで行なわれる遊技内容に合わせた装飾が施されている。そして、前記設置部材４０に対して後側から着脱可能に配設された図柄表示装置Ｈにおける表示部Ｈ１や、該設置部材４０の前側に配設される第１〜第３の装飾部材４６,４７,４８および第１〜第３の可動演出装置４９,５０,５１等が、枠状装飾部材２８の表示窓口２８Ａに臨むように配設されている。なお、前記枠状装飾部材２８と前記盤面飾り部材１３との間には、パチンコ球の流下が可能な流下経路１５が形成されている。
【００２０】
また前記遊技盤Ｄには、前記貫通口の真下において、該遊技盤Ｄの左右中央に第１装着口が開設され、該貫通口の右下方(第１装着口の右側)に第２装着口が開設されると共に、前記第１装着口の左側に第３装着口が開設されている。そして、図３に示すように、前記第１装着口には、始動入賞口２０Ａを備えた始動入賞装置２０が前側から配設され、前記第２装着口には、開閉扉２１Ａ特別入賞装置２１が前側から配設されると共に、第３装着口には、３つの入賞口２２Ａが左右に配列された普通入賞具２２が配設されている。すなわち前記特別入賞装置２１は、前記枠状装飾部材２８の右側に形成された前記流下経路１５の下方に位置している。なお、遊技盤Ｄの前面における前記遊技領域１０内には、多数の球案内釘２３や回転球案内具２５等が配設されている。
【００２１】
前記始動入賞装置２０、特別入賞装置２１および普通入賞具２２には、各々に入賞したパチンコ球を検知する球検知スイッチが個別に配設され、各球検知スイッチからの球検知信号は、前記設置部材４０の後側に取り付けられて当該パチンコ機Ｐを総合的に制御する主制御装置１２０に送出される。前記主制御装置１２０は、前記始動入賞装置２０の球検知スイッチからの検出信号を受けると、大当たり抽選を行なうと共に、前記設置部材４０の後側に取り付けられた統括制御装置１２１に制御信号を出力して前記図柄表示装置Ｈに図柄変動演出を行なわせると共に、前記中枠Ｂの後側に配設された払出制御装置１２４に制御信号を出力して、球払出装置３３に所定数の賞球を払い出させる。そして、前記主制御装置１２０における前記大当たり抽選の結果として大当たりが発生する場合には、図柄表示装置Ｈの表示部Ｈ１での図柄変動演出の後に、該表示部Ｈ１に所定の図柄組合わせで図柄が停止表示され、前記特別入賞装置２１の開閉扉２１Ａが開放位置に姿勢変位して多数のパチンコ球の入賞が可能となる。また主制御装置１２０は、前記特別入賞装置２１の球検知スイッチからの検出信号を受けると、前記払出制御装置１２４に制御信号を出力して前記球払出装置に所定数の賞球を払い出させる。更に主制御装置１２０は、前記普通入賞具２２の球検知スイッチからの検出信号を受けると、前記払出制御装置１２４に制御信号を出力して前記球払出装置３３に所定数の賞球を払い出させる。
【００２２】
(設置部材)
前記設置部材４０は、図３および図４に示すように、前方に開放する略矩形のバケット状に一体成された合成樹脂製の部材であって、前側の開放端を遊技盤Ｄの後面に突き合わせて該遊技盤Ｄに取り付けられる。この設置部材４０は、遊技盤Ｄの後面に対して後方から所要の間隔で対向して該遊技盤Ｄの後面を構成する設置壁部４１と、この設置壁部４１の周縁から前方へ延出形成された外周壁部４２と、この外周壁部４２の前端から外方に向けて屈曲形成された縁板部４３等を備えている。すなわち設置部材４０は、外周壁部４２で囲われて遊技盤Ｄ側に開放する前部開口が矩形状に形成されると共に、縁板部４３の外周縁が、遊技盤Ｄの外周縁より一回り小さい形状および大きさで形成されている。このような設置部材４０は、縁板部４３を遊技盤Ｄの後面にネジ止めすることで該遊技盤Ｄに固定され、遊技盤Ｄの後面から離間した設置壁部４１の前側に、前記第１〜第３の各装飾部材４６,４７,４８や、第１〜第３の各可動演出装置４９,５０,５１や、その他の各種部材の配設を可能とする空間ＳＰを画成するよう構成されている。
【００２３】
前記設置部材４０の設置壁部４１には、図３および図４に示すように、前後に貫通する略矩形の表示開口４４が形成されている。また、設置壁部４１の後側には、前記図柄表示装置Ｈを固定するための取付部４５が設けられ、表示部Ｈ１を表示開口４４に臨ませた状態で該図柄表示装置Ｈが着脱可能に取り付けられる。前記図柄表示装置Ｈは、各種図柄を表示可能な表示部Ｈ１をなす液晶パネルが収容ケースに収容されたユニット部材であって、図２に示すように、該収容ケースの後面には、該図柄表示装置Ｈの表示部Ｈ１の表示制御を行なう表示制御装置１２２と、当該パチンコ機Ｐの遊技演出を統括的に制御する前記統括制御装置１２１とが配設される。統括制御装置１２１には、設置壁部４１の後側に配設した第２中継基板８５を介して前記図柄表示装置Ｈ、前記前枠Ｃに配設されたランプ装置や前記中枠Ｂに配設されたスピーカ等が電気的に接続されており、該統括制御装置１２１から出力される制御信号に基づいて各装置が作動制御される。また統括制御装置１２１には、第２中継基板８５を介して、設置壁部４１の前側に配設された前記第１〜第３の各装飾部材４６,４７,４８に配設された照明装置から導出された配線や、前記第１〜第３の各可動演出装置４９,５０,５１等に配設された駆動装置や照明装置から導出した配線等が電気的に接続されており、該統括制御装置１２１から出力される制御信号に基づいて各照明装置の点灯制御や各可動演出装置４９,５０,５１の作動が制御される。
【００２４】
図１および図３に示すように、前記設置壁部４１において、前記表示開口４４の上側に位置する上板部４１Ａの前方には前記第１装飾部材４６が配設され、該表示開口４４の右に位置する右板部４１Ｂの前方には前記第２装飾部材４７が配設されると共に該表示開口４４の左に位置する左板部４１Ｃの前方には第３装飾部材４８が配設されている。また、第１装飾部材４６の前側に第１可動演出装置４９が配設されると共に、前記第２装飾部材４７の前側に第２可動演出装置５０が配設されている。更に、前記設置壁部４１の前側には、該設置壁部４１と前記第１〜第３の各装飾部材４６,４７,４８との間に形成された空間に第３可動演出装置５１が配設されている。前記第１〜第３の各装飾部材４６,４７,４８および第１〜第３の各可動演出装置４９,５０,５１から導出された配線は、前記設置壁部４１の所要位置から設置部材４０の裏側へ引き出され、前記第２中継基板８５のコネクタ接続端子に接続される。
【００２５】
(基板設置部)
前記設置部材４０には、図４に示すように、前記設置壁部４１において前記表示開口４４の下側に位置する下板部４１Ｄの後側に、複数(実施例では３つ)の基板設置部５５,５６,５７が形成されている。なお、以下の説明において、左側(図４では右側)に位置する基板設置部５５を「第１基板設置部」と指称し、左右中央に位置する基板設置部５６を「第２基板設置部」と指称すると共に、右側(図４では左側)に位置する基板設置部５７を「第３基板設置部」と指称する。第１基板設置部５５には第１中継基板９５が保持され、第２基板設置部５６には第２中継基板８５が保持されると共に、第３基板設置部５７には第３中継基板１１０が保持される。なお、前記下板部４１Ｄの後側には、前記主制御装置１２０が取り付けられる取付部材(部品)９０(図２、図１１参照)が着脱自在に配設され、該取付部材９０で各基板設置部５５,５６,５７が後方から覆われる。また、以下の第１〜第３の基板設置部５５,５６,５７、第１〜第３基板９５,１００,１０５およびこれらに関連する部材、部位に関する説明では、遊技盤Ｄを裏側から見た状態を基準として左右を指すものとする。
【００２６】
(第１基板設置部)
前記第１基板設置部５５は、図５〜図７に示すように、前記第１中継基板９５を取付けた基板保持部材(後述)６０の外部輪郭形状が合致する形状に形成された設置部８０と、前記設置部８０の左上角部および左下角部に設けられた保持片部(保持部)８１,８１と、前記設置部８０の右側において前記下板部４１Ｄに設けられた係止受部(被係止部)８２とを備えている。この第１基板設置部５５は、設置部材４０の後側から前記基板保持部材６０を着脱可能に取り付け得るように構成されている。
【００２７】
(設置部)
前記設置部８０は、図７に示すように、前記設置壁部４１における前記下板部４１Ｄの後面に後方へ突出した複数の突壁部で囲まれて矩形状部分である。すなわち設置部８０は、前記下板部４１Ｄの一部である底壁部８３と、該設置部８０の右縁を構成して上下に延在する右縦壁部８４と、該設置部８０の左縁を構成して上下に延在する左縦壁部８５と、該設置部８０の上縁を構成して左右に延在する上横壁部８６と、該設置部８０の下縁を構成して左右に延在する下横壁部８７とで画成されている。図７に示すように、前記上横壁部８６および下横壁部８７の対向する壁面間の上下間隔Ｓ１は、前記基板保持部材６０の縦寸法Ｔ１と同じに設定され、右縦壁部８４および左縦壁部８５の対向する壁面間の左右間隔Ｓ２は、基板保持部材６０の横寸法Ｔ２と同じに設定されると共に、各壁部８４,８５,８６,８７の下板部４１Ｄから後方への突出高さＳ３は、前記基板保持部材６０の厚さ寸法Ｔ３と同じに設定されている。そして前記設置部８０は、図７に示すように、前記普通入賞具２２に設けられて当該パチンコ機Ｐの検査時に検査機器(スイッチ等)を一時的に装着する検査部(図示せず)の後方に設けられていて、該設置部８０の底壁部８３には該検査部に連通する開口５４が形成されており、設置部８０から基板保持部材６０を取り外した状態で、該開口５４を介して検査部に対する検査機器の着脱を行ない得るようになっている。なお、右縦壁部８４、左縦壁部８５および上横壁部８６は、設置部８０の対応する縁の一部に沿うように形成されている。
【００２８】
(保持片部)
前記各保持片部８１,８１は、図５および図７に示すように、前記設置壁部４１Ｂの下板部４１Ｄの後面から前記設置部８０の後側へ延出した庇状部で、各保持片部８１における底壁部８３と対向する面は、該底壁部８３と平行な平面に形成されている。前記保持片部８１,８１と前記底壁部８３との前後方向の間隔は、前記突出高さＳ３と同じになっており、保持片部８１と底壁部８３との間に、前記基板保持部材６０の左側縁部を左側から差し込むことが可能となっている。すなわち各保持片部８１は、設置部８０に装着した前記基板保持部材６０の左側部分に後側から当接して、該基板保持部材６０を該設置部８０に保持するように機能する。
【００２９】
(係止受部)
前記右縦壁部８４は、図５および図７に示すように、設置部８０の上下間隔Ｓ１の約半分の長さに形成されていて、設置部８０の左側下部は左方へ開口しており、この開放部分の右側には、該開放部分に相当する長さで上下に延在する隔壁部８８が、前記右縦壁部８４の突出高さと同じ突出高さに形成されている。そして、前記設置部８０と前記隔壁部８８との間には、設置壁部４１の下板部４１Ｄを切り欠いて該設置部８０に開口する開口８９が形成されている。この開口８９には、前記基板保持部材６０に右方へ突出するように設けた弾性部(後述)６７および当接片部６６が整合するようになっている(図５、図６参照)。そして、図６、図７および図１０に示すように、前記隔壁部８８の前記開口８９に臨む壁面の後端には、上下に離間すると共に前記設置部８０側へ突出した前記係止受部８２,８２が突設されている。前記各係止受部８２,８２の上下方向の間隔Ｋ１は、図１０(ａ)に示すように、前記基板保持部材６０に設けた弾性部６７の操作部７０の上下幅Ｋ２より僅かに大きく設定されており、両係止受部８２,８２の間に該操作部７０が左側から入り込むことが可能となっている(図１０(ａ)、図１０(ｂ)参照)。
【００３０】
前記各係止受部８２,８２は、図１０(ａ)および図１１(ｂ)に示すように、前記設置部８０を指向した部位に形成された当接面８２Ａと、前側を指向した部位に形成された係止面８２Ｂとを備えている。そして前記係止受部８２,８２は、前記設置部８０に前記基板保持部材６０を正規の姿勢でセットした際に、前記弾性部６７が変形していない常態において、該弾性部６７に設けた後述する係止突部(係止部)７１,７１の後側に位置するように設けられている。すなわち、前記各係止受部８２は、前記設置部８０に前記基板保持部材６０を取り付ける際に前記弾性部６７の変位部６９に前記当接面８２Ａが右方から当接して、該弾性部６７を弾性変形させ得るようになっている。また各係止受部８２は、前記設置部８０に前記基板保持部材６０を適切にセットした際に、前記弾性部６７に設けた前記係止突部７１に前記係止面８２Ｂが後方から当接して、該弾性部６７に係止するようになっている。
【００３１】
(基板保持部材)
前記基板保持部材６０は、図７〜図９に示すように、後方へ開放するトレー状の部材で、前記第１中継基板９５を設置する板状の設置面部(保護面部)６１と、該設置面部６１の外周縁に沿って延在して後方へ突出した外周突壁部(保護壁部)６２と、該外周突壁部６２の後端における右上角部および右下角部から左方へ延出するように形成した基板係止部６３とを備えている。また基板保持部材６０は、前記設置面部６１の右側に、弾性変形が可能に形成されて、前記係止受部８２,８２に係脱可能に係止する弾性部６７を備えている。
【００３２】
(設置面部)
前記設置面部６１には、外周突壁部６２に臨む外縁に沿って設置段部６１Ａが形成されており、図６に示すように、前記第１中継基板９５の裏側基板面９５Ｂの外縁部分が該設置段部６１Ａに当接する。これにより基板保持部材６０は、第１中継基板９５の裏側基板面９５Ｂが前記設置面部６１と近接した状態で該第１中継基板９５が取り付けられるように構成されている。また前記設置面部６１は、第１中継基板９５と同じ形状、サイズに構成されており、該第１中継基板９５の裏側基板面９５Ｂの全体に近接して該裏側基板面９５Ｂの回路形成部分を適切に被覆するようになっている。ここで、前記第１中継基板９５の裏側基板面９５Ｂが前記設置面部６１に近接するとは、該裏側基板面９５Ｂと該設置面部６１とが直接には接触していないが、不正部品の配線等の異物が入ることが不能な間隔で、該裏側基板面９５Ｂと該設置面部６１とが対向した状態となっていることを指している。
【００３３】
図８に示すように、前記外周突壁部６２の内周面における上下間隔Ｌ１は、前記第１中継基板９５の縦寸法Ｍ１と同じに設定され、該外周突壁部６２の内周面における左右間隔Ｌ２は、該第１中継基板９５の横寸法Ｍ２と同じに設定されると共に、前記外周突壁部６２の後端から前記設置段部６１Ａまでの深さＬ３は、該第１中継基板９５の板厚Ｍ３と同じに設定されている。これにより基板保持部材６０は、第１中継基板９５の外周端縁９５Ｃが前記外周突壁部６２の内周面と近接して囲繞した状態で該第１中継基板９５が取り付けられるように構成されている。ここで、前記基板保持部材６０の外周突壁部６２と前記第１中継基板９５の外周端縁９５Ｃとが近接するとは、該裏側基板面９５Ｂと該設置面部６１とが隙間なく接触した状態や、不正部品の配線等の異物が入ることが不能な間隔で離間した状態で、該外周突壁部６２と外周端縁９５Ｃとが対向していることを指している。
【００３４】
また、図８に示すように、前記設置面部６１の下部右側には、後方へ突出した係止ボス６４が設けられると共に、該設置面部６１の下部左側には、後方へ突出したネジ締結ボス６５が設けられている。前記係止ボス６４は、前記第１中継基板９５の下部右側に設けた係止孔９８に前側から整合して突入係止すると共に、前記ネジ締結ボス６５は、前記第１中継基板９５の下部左側に設けたネジ挿通孔９９に前側から整合するようになっている。
【００３５】
また前記基板保持部材６０は、図９に示すように、前記設置面部６１の裏面となる前面に、前方へ突出した突部７５が形成されると共に、この突部７５の前面には、更に前方へ突出した突片部７６が形成されている。前記突部７５および突片部７６は、図６に示すように、基板保持部材６０を設置部８０に正規の姿勢で取付けた際に、前記底壁部８３に形成された前記開口５４に前記突部７５が嵌合し、図示しない検査部へ前記突片部７６が臨むように構成されている。前記突部７５の外周輪郭形状は、前記開口５４の周輪郭形状と略同じ形状に形成されており、該突部７５が開口５４に嵌合することで、該開口５４の開口の略全体が覆蓋されるようになっている。また前記突片部７６は、前記開口５４の前方に位置する前記検査部内に延出して該検査部内を複数の小さな領域に分割することで、所定サイズの不正部品が該検査部内へ設置されるのを防止するべく機能する。ここで前記不正部品は、例えば、前記始動入賞装置２０や特別入賞装置２１を誤作動させたり、予め設定された制御条件とは異なった制御条件で前記制御装置に遊技を実行させるための基板や装置、器具等を指している。すなわち前記基板保持部材６０は、前記開口５４を覆蓋すると共に検査部を分割する不正防止手段として機能するようになっている。更に、前記設置面部６１における左縁には、図６および図９等に示すように、該設置面部６１の外面から外周突壁部６２の外面に向けて斜めに面取りされた形状の傾斜面７８が形成されている。この傾斜面７８は、基板保持部材６０を第１基板設置部５５の設置部８０へ装着する際に、該設置部８０の底壁部８３に摺接させるガイド面として機能する。
【００３６】
(基板係止部)
前記各基板係止部６３,６３は、図５、図７および図８に示すように、前記外周突壁部６２の後端から前記設置面部６１の後側へ延出した庇状部で、各基板係止部６３における設置面部６１と対向する面は、該設置面部６１と平行な平面に形成されている。前記各基板係止部６３と前記設置段部６１Ａとの前後方向の間隔は、前記深さＬ３と同じになっており、基板係止部６３と設置段部６１Ａとの間に、前記第１中継基板９５の右側縁部を左側から差し込むことが可能となっている。すなわち各基板係止部６３は、設置段部６１Ａで支持された前記第１中継基板９５の右側部分に後側から当接して、該第１中継基板９５を該設置面部６１に保持するように機能する。なお、各基板係止部６３は、外周突壁部６２の右上角部および右下角部に設けられており、基板保持部材６０を前記第１基板設置部５５の設置部８０に装着した際に、前記保持片部８１と干渉しない。
【００３７】
(弾性部)
前記基板保持部材６０は、図５〜図１０に示すように、前記設置面部６１の右縁に一体的に形成されて、前方および右方へ突出した前記弾性部６７を備えている。この弾性部６７は、前述したように、前記第１基板保持部５５として構成された前記係止受部８２,８２に係脱可能に変形することで、前記設置部８０に対する前記基板保持部材６０の着脱を可能とするものである。前記弾性部６７は、前記設置面部６１の右縁から前方へ延出する基部６８と、前記基部６８の前部から右方へ屈曲して後方へ延出し、該基部６８の右側に位置する変位部６９とを備えると共に、前記変位部６９の後部には、後方へ延出する操作部７０を備え、平面視において略Ｊ形に形成されている。従って弾性部６７は、前記操作部７０を設置面部６１の右縁側へ指先等で押すことで、前記変位部６９と前記基部６８とを連設する屈曲部分が変形して、該変位部６９が該設置面部６１の側へ近接移動するようになると共に、該操作部７０に対する外力を解除することで、変位部６９が設置面部６１から離間移動して元の状態に弾性復帰するように構成されている。
【００３８】
(係止突部)
図９および図１０(ａ)に示すように、上下幅Ｋ２の前記操作部７０は、前記変位部６９の上下幅より小さく設定されており、該変位部６９の上縁後端は該操作部７０より上方へ突出していると共に該変位部６９の下縁後端は該操作部７０より下方へ突出しており、該変位部６９と操作部７０との上下の段差部が、前記係止突部７１,７１となっている。そして、前記係止突部７１,７１は、前述したように、前記操作部７０に対する操作を行なわない前記弾性部６７の常態においては、前記各係止受部８２,８２と前後方向で重なって該係止受部８２,８２の係止面８２Ｂに係止する(図５、図６、図１０(ａ)、図１０(ｂ))。また前記係止突部７１,７１は、前記操作部７０を設置面部６１側へ押した前記弾性部６７の変形状態においては、前記係止受部８２,８２から設置面部６１側へ移動して、該係止受部８２との係止が解除されるようになっている(図１０(ｂ)に２点鎖線で表示)。
【００３９】
(当接片部)
また、前記基板保持部材６０は、前記設置面部６１の右縁において前記弾性部６７の上側に、左方へ庇状に延出した略矩形の当接片部(被当接部)６６を備えている。この当接片部６６は、図５、図７および図１１に示すように、設置部８０に基板保持部材６０を装着すると、前記隔壁部８８と前記右縦壁部８４との間に形成された凹段部８８Ａに後方から整合して、該当接片部６６の先端が該凹段部８８Ａに係合する。また当接片部６６は、前記凹段部８８Ａに整合することで、前記弾性部６７と共に前記開口８９を覆蓋するようになっており、該当接片部６６は蓋手段としても機能するようになっている。
【００４０】
また前記当接片部６６には、図１１に示すように、前記設置部材４０の設置壁部４１の後側に配設される前記取付部材９０に設けた当接部９１が、後方から当接するようになっている。すなわち、前記基板保持部材６０を第１基板設置部５５の設置部８０に装着した状態で前記取付部材９０を設置部材４０に取り付けると、前記当接部９１が当接片部６６に後方から当接することで、該当接片部６６は、前記隔壁部８８の凹端部８８Ａと該当接部９１とにより前後から挟持されるように構成されている。これにより、前記取付部材９０を前記設置壁部４１に取り付けると、第１基板設置部５５に対する基板保持部材６０の着脱が規制されるように構成されている。
【００４１】
(第１中継基板)
前記第１中継基板９５には、図８等に示すように、前記基板保持部材６０から露出する表面９５Ａに、前記始動入賞装置２０、特別入賞装置２１および普通入賞具２２に入賞したパチンコ球を検出する各球検出スイッチ等からの配線(図示せず)が接続されるコネクタ接続端子９６や、前記主制御装置１２０からの配線(図示省略)が接続されるコネクタ接続端子９７等が配設されている。従って第１中継基板９５は、前記始動入賞装置２０、特別入賞装置２１および普通入賞具２２の球検出スイッチや各種センサ等と主制御装置１２０とを電気的に接続する。また第１中継基板９５には、図８に示すように、その下部右側に、前記係止ボス６４が嵌合する係止孔９８が形成されると共に、下部左側に、前記ネジ締結ボス６５に整合するネジ挿通孔９９が形成されている。
【００４２】
前述のように構成された基板保持部材６０に対して、前記第１中継基板９５は、次のようにして装着される。すなわち、前記第１中継基板９５を、その裏側基板面９５Ｂを前記設置面部６１に対向させた状態で、該第１中継基板９５の右端上部および右端下部を前記各基板係止部６３の前側に差し込むと共に、該第１中継基板９５の左部を設置面部６１に向けて押し込むことで、当該第１中継基板９５が基板保持部材６０の設置段部６１Ａに支持される。そして、前記係止孔９８に前記係止ボス６４が係合すると共に、前記ネジ挿通孔９９に挿通させたネジ９２を前記ネジ締結ボス６５に締結することで、第１中継基板９５が設置面部６１に固定される。そして、前述すると共に図８に示すように、前記外周突壁部６２の内周面における上下間隔Ｌ１が前記第１中継基板９５の縦寸法Ｍ１と同じに設定され、該外周突壁部６２の内周面における左右間隔Ｌ２が該第１中継基板９５の横寸法Ｍ２と同じに設定されると共に、前記外周突壁部６２の後端から前記設置段部６１Ａまでの深さＬ３が該第１中継基板９５の板厚Ｍ３と同じに設定されていることで、前記外周突壁部６２が、該第１中継基板９５の外周端縁９５Ｃの略全周に亘って隙間なく接触した状態で囲繞する(図５〜図７参照)。これにより、第１中継基板９５の裏側基板面９５Ｂに形成された回路形成部分が前記設置面部６１により被覆保護される。
【００４３】
また、前述のように構成された第１基板設置部５５に対して、前記第１中継基板９５を装着した前記基板保持部材６０は、次のようにして装着される。すなわち、前記基板保持部材６０の左端上部および左端下部を前記保持片部８１の前側に差し込むと共に、該基板保持部材６０の右部を設置部８０に向けて押し込むことで、前記弾性部６７の変位部６９が前記各係止受部８２,８２の当接面８２Ａに当接して該変位部６９が設置面部６１側へ移動し、これにより基板保持部材６０が設置部８０に収容される。このとき、前記基板保持部材６０の前記傾斜面７８を前記設置部８０の底壁部８３に当てることで該基板保持部材６０の差し込み時の姿勢が安定し、第１基板設置部５５に対して該基板保持部材６０を簡易に差し込むことができる。そして、基板保持部材６０が設置部８０に適切にセットされると、前記前記変位部６９に対する前記各係止受部８２,８２の当接が解除され、該係止受部８２,８２の係止面８２Ｂに前記係止突部７１,７１が係止される。また、前述すると共に図７に示すように、前記上下間隔Ｓ１が前記基板保持部材６０の縦寸法Ｔ１と同じに設定され、前記左右間隔Ｓ２が基板保持部材６０の横寸法Ｔ２と同じに設定されると共に、前記突出高さＳ３が前記基板保持部材６０の厚さ寸法Ｔ３と同じに設定されていることで、前記右縦壁部８４、左縦壁部８５、上横壁部８６および下横壁部８７が、該基板保持部材６０の外縁に接触する(図５、図６参照)。更に、前記基板保持部材６０の設置面部６１の前面が前記設置部８０の底壁部８３に密着的に当接する一方、前記突部７５が前記開口５４に嵌合すると共に、前記突片部７６が前記検査部内へ延出する。従って、前記設置部８０に設けた前記開口５４が前記基板保持部材６０で被覆されるから、設置面部６１と底壁部８３との間から不正部品の配線等の異物を挿入することが不可能であるから、該基板保持部材６０は不正防止部材として機能する。
【００４４】
(第２基板設置部)
第２基板設置部５６は、図４に示すように、矩形状に形成された第２中継基板１００の外縁形状に合致する内縁形状に形成されて後方へ開口する矩形の枠状部１０５と、この枠状部１０５の内壁面に形成されて第２中継基板１００を裏側から支持する支持部(図示せず)と、枠状部１０５の上縁部において左右に離間して配設されて下方へ突出した２つの係止爪１０６,１０６と、該枠状部１０５の下縁部において左右に離間して配設されて後方へ突出した２つの係止フック１０７,１０７とを備える。各係止フック１０７は、第２中継基板１００の下縁部に係止する爪部が先端側において下方へ突設されると共に、先端側が上方へ変位するように弾性変形が可能となっている。従って第２中継基板１００は、その上縁部を前記各係止爪１０６,１０６の前側へ差し込むと共に下縁部を前方へ押すことで、前記各係止フック１０７の弾性変形により枠状部１０５の内側にセットされる。そして、前記各係止爪１０６が第２中継基板１００の上縁部に後方から係止すると共に、各係止フック１０７が該第２中継基板１００の下縁部に後方から係止することで、該第２中継基板１００は第２基板設置部５６に着脱可能に係止保持される。
【００４５】
(第２中継基板)
前記第２中継基板１００は、図４に示すように、前記主制御装置１２０からの配線、前記統括制御装置１２１からの配線、前記表示制御装置１２２からの配線、前記第１〜第３可動演出装置４７,４８,４９からの配線等が多数接続され、これらを電気的に接続するものである。すなわち第２中継基板１００の表面１００Ａには、主制御装置１２０からの配線(図示省略)が接続されるコネクタ接続端子１０１や、統括制御装置１２１からの配線(図示省略)が接続されるコネクタ接続端子１０２や、表示制御装置１２２からの配線(図示省略)が接続されるコネクタ接続端子１０３が配設されている。また第２中継基板１００には、前記第１〜第３の各可動演出装置４７,４８,４９からの各配線が各々接続される複数のコネクタ接続端子１０４等も配設されている。従って第２中継基板１００は、前記主制御装置１２０、統括制御装置１２１、表示制御装置１２２、第１〜第３可動演出装置４７,４８,４９等を電気的に接続する、
【００４６】
(第３基板設置部)
第３基板設置部５７は、図４に示すように、矩形状に形成された第３中継基板１１０の外縁形状に合致する内縁形状に形成されて後方へ開口する矩形の枠状部１１５と、この枠状部１１５の内壁面に形成されて第３中継基板１１０を裏側から支持する支持部(図示せず)と、枠状部１１５の上縁部の左右中央に配設されて下方へ突出した係止爪１１６と、該枠状部１１５の下縁部において左右に離間して配設されて後方へ突出した２つの係止フック１１７,１１７とを備える。各係止フック１１７は、第３中継基板１１０の下縁部に係止する爪部が先端側において下方へ突設されると共に、先端側が上方へ変位するように弾性変形が可能となっている。従って第３中継基板１１０は、その上縁部を前記各係止爪１１６の前側へ差し込むと共に下縁部を前方へ押すことで、前記各係止フック１１７の弾性変形により枠状部１０５の内側にセットされる。そして、前記各係止爪１１６が第３中継基板１１０の上縁部に後方から係止すると共に、各係止フック１１７が該第３中継基板１１０の下縁部に後方から係止することで、該第３中継基板１１０は第３基板設置部５７に着脱可能に係止保持される。
【００４７】
(第３中継基板)
前記第３中継基板１１０は、図示しない電源装置に接続される電源中継基板であって、前記主制御装置１２０からのハーネス(図示省略)が接続されるコネクタ接続端子１１１や統括制御装置１２１からのハーネス(図示省略)が接続されるコネクタ接続端子１１２等を備えている。すなわち、前記主制御装置１２０および統括制御装置１２１に対しては、第３中継基板１１０を介して電源の供給が図られる。
【００４８】
前述のように構成された実施例のパチンコ機Ｐでは、前述したように、第１中継基板９５が取り付けられた基板保持部材６０は、該基板保持部材６０を第１基板設置部５５の設置部８０に整合させて後方から押し込むことで、前記弾性部６７の変位部６９が設置面部６１に近接するように該弾性部６７が変形するので、該第１基板設置部５５に簡単かつ確実に設置することが可能である。すなわち、第１中継基板９５を第１基板設置部５５の設置部８０に取り付けるに際して、ネジ等を締結する必要がない。そして、第１中継基板９５が取り付けられた基板保持部材６０を第１基板設置部５５にセットすると、弾性部６７に設けた係止突部７１が該第１基板設置部５５に設けた係止受部８２に係止することで、設置部８０を挟んだ左右両側に位置する保持片部８１,８１および係止受部８２に基板保持部材６０が係止されるので、第１中継基板９５を第１基板設置部５５に確実かつ安定的に保持することができる。
【００４９】
また、第１中継基板９５が取り付けられた基板保持部材６０を第１基板設置部５５から取り外す際には、前記操作部７０を指先等で操作して弾性部６７を弾性変形させることで、第１基板設置部５５に設けた前記係止受部８２と基板保持部材６０の弾性部６７に設けた係止突部７１との係合が解除されるので、第１中継基板９５を取り付けた該基板保持部材６０を第１基板設置部５５から簡単かつ容易に取り外すことができる。
【００５０】
また、前記第１中継基板９５を前記基板保持部材６０に装着することで、該基板保持部材６０における前記外周突壁部６２の内周面が、該第１中継基板９５の外周端縁９５Ｃの略全周に亘って隙間なく接触した状態で囲繞するから、該外周突壁部６２と第１中継基板９５の外周端縁９５Ｃとの間から針状や薄板または不正部品の配線等の異物を挿入することが不可能である。これにより、外周突壁部６２と第１中継基板９５の外周端縁９５Ｃとの間から該第１中継基板９５の裏側基板面９５Ｂに設けた回路形成部分へ異物を挿通することが不能となり、該異物をコネクタ接続端子のコネクタピンに接続することにより行なわれる不正行為を防止し得る。また、第１中継基板９５の裏側基板面９５Ｂに形成された回路形成部分は、基板保持部材６０の前記設置面部６１が該裏側基板面８５Ｂの全体を被覆しているので、該設置面部６１により好適に保護される。
【００５１】
更に、前記第１中継基板９５を装着した前記基板保持部材６０を前記第１基板設置部５５の設置部８０に装着することで、前記右縦壁部８４、左縦壁部８５、上横壁部８６および下横壁部８７の各内周面が該基板保持部材６０の外縁に接触しているから、該基板保持部材６０が第１基板設置部５５へがたつくことなく保持される。また、前記保持片部８１,８１が基板保持部材６０の右部を後方から保持すると共に、係止突部７１と係止受部８２とが係止することで、該基板保持部材６０の設置面部６１の前面が前記設置部８０の底壁部８３に密着的に当接する一方、前記突部７５前記開口５４に嵌合すると前記突片部７６が検査部へ延出するから、設置面部６１と底壁部８３との間から前記開口針状や薄板状の異物または不正部品の配線等を検査部へ挿入することが不可能であり、不正行為を好適に防止し得る。
【００５２】
更に、前記基板保持部材６０に設けた前記当接片部６６に、前記設置部材４０の後側に配設された前記取付部材９０の当接部９１が後方から当接するので、第１基板設置部５５に対する前記基板保持部材６０の着脱が規制され、不正を目的とした基板保持部材６０の着脱を好適に阻止し得る。
【００５３】
(変更例)
本発明に係る遊技機は、実施例に例示の形態に限らず種々の変更が可能である。
（１）実施例では、基板保持部材６０の右端に弾性部６７を設けた形態を例示したが、この弾性部６７の形成位置はこれに限らず、該基板保持部材６０の左端に弾性部６７を設けてもよいし、上端または下端に設けてもよい。
（２）設置部８０の周縁に設けた各右縦壁部８４、左縦壁部８５、上横壁部８６および下横壁部８７は、該設置部８０を完全に囲繞するように連設するようにしてもよい。
（３）前記当接片部６６の形成位置は、前記取付部材９０の当接部９１が当接可能な位置であれば、前記設置面部６１の周縁部分のどの部分に設けてもよい。
（４）前記基板保持部材６０の設置面部６１は、前記第１中継基板９５の裏側基板面９５Ｂにおける回路形成部分に少なくとも近接する形状とすれば、該設置面部６１により該回路形成部分を保護することができる。
（５）なお前記設置面部６１は、前記第１中継基板９５の裏側基板面９５Ｂにおける少なくとも回路形成部分と近接する形状に形成してもよい。
（６）実施例では、遊技機としてのパチンコ機を示したが、遊技機はパチンコ機に限られるものではなく、アレンジボール機等であってもよい。
【符号の説明】
【００５４】
４０ 設置部材，５５ 第１基板設置部(基板設置部)，６０ 基板保持部材
６１ 設置面部(保護面部)，６２ 外周突壁部(保護壁部)，６６ 当接片部(被当接部)
９０ 取付部材(部品)，９１ 当接部，９５ 第１中継基板(中継基板)，９５Ｂ 裏側基板面
９５Ｃ 外周端縁，９６ コネクタ接続端子，９７ コネクタ接続端子，Ｄ 遊技盤
【図１】
0005688358.tif 000002
【図２】
0005688358.tif 000003
【図３】
0005688358.tif 000004
【図４】
0005688358.tif 000005
【図５】
0005688358.tif 000006
【図６】
0005688358.tif 000007
【図７】
0005688358.tif 000008
【図８】
0005688358.tif 000009
【図９】
0005688358.tif 000010
【図１０】
0005688358.tif 000011
【図１１】
0005688358.tif 000012